(57)【要約】【課題】従来の同種のもので必要とされていた、中間ニップルとインナーチューブとを加締め固定し中間サイレンサーを組付けていた工程を不必要とすることのできる脈動吸収ホースを提供するとともに、中間絞り部分（加締め固定部分）における経時固定力の低下という問題もなく、長期間にわたって使用したとしても安定した品質・所期の効果とが得られ、また、柔軟な樹脂チューブ材料でも所期の効果を維持してインナーチューブとして使用できることになるという、新規な脈動吸収ホースを提供すること。【解決手段】インナー樹脂チューブがホースの内部に挿入され、該ホース内部を圧送される流体の脈動を吸収する脈動吸収ホースであり、該ホースと前記インナー樹脂チューブとが、該ホースの長手方向の一部分において加締められて固定化され、かつ、該インナー樹脂チューブの加締め固定部分の内面またはチューブ断面内に金属管が配置されてなることを特徴とする脈動吸収ホース。【選択図】図１
2006138409.tif 000002
【特許請求の範囲】
【請求項１】
インナー樹脂チューブがホースの内部に挿入され、該ホース内部を圧送される流体の脈動を吸収する脈動吸収ホースであり、該ホースと前記インナー樹脂チューブとが、該ホースの長手方向の一部分において加締められて固定化され、かつ、該インナー樹脂チューブの加締め固定部分の内面またはチューブ断面内に金属管が配置されてなることを特徴とする脈動吸収ホース。
【請求項２】
前記インナー樹脂チューブが前記加締め固定部分において、他部分よりも大径に形成されてなるものであることを特徴とする請求項１記載の脈動吸収ホース。
【発明の詳細な説明】
【技術分野】
【０００１】
本発明は、流体供給源から油圧制御用オイルなどの流体が圧送される際に、ポンプ負荷の変動等によって生ずる該流体の脈動を吸収することができる脈動吸収ホースに関するものである。
【背景技術】
【０００２】
一般に、油圧ポンプ等の流体供給源からオイルなどの流体を圧送する際に、ポンプ負荷が変動することなどに起因して該流体は脈動を伴って圧送され、この脈動をしている流体がホースを通過し、下流側の油圧システムを振動、共鳴させることで異音が発生するという現象がある。
【０００３】
この異音発生という問題を解消することを目的として、該流体がホース内を流れる間に脈動を減衰させて異音の発生を抑制することにより消音効果があるという脈動吸収ホースが提案されており、その代表的な技術として、ホース内部の流体流通路に、金属らせんパイプや樹脂チューブからなる環状のインナーチューブを配設・固定した脈動吸収ホースが種々提案されている（特許文献１−４）。
【０００４】
そして、該構造からなる脈動吸収ホースの中でも、特に消音効果の高い構造のものとして、該環状のインナーチューブとニップルとを一体化し、その一体化品を中間サイレンサーとしてホース内の中間部に配置し、該ニップル部分をソケットで加締めてなる、いわゆる中間絞り法によるものがある。
【０００５】
その構成を図３を用いて説明すると、図３は従来の脈動吸収ホースの１例として、中間絞り法による脈動吸収ホースの構成を説明する図であり、同図（ａ）は中間サイレンサーの形成過程を説明する概略モデル正面図、同図（ｂ）は図（ａ）に示した中間サイレンサーを加締め方式でホース内に固定して脈動吸収ホースを構成したときの該脈動吸収ホースの構造を示す概略モデル断面図である。
【０００６】
同図（ａ）に示したように、中間ニップル６に、金属らせん管あるいは樹脂チューブからなるインナーチューブ７を両端側から差し込み、該中間ニップル部分で加締め固定８して、中間サイレンサー９が完成する。さらに、同図（ｂ）に示したように、該中間サイレンサー９は、ホース２内に通されて中間ニップル６の箇所で加締め固定１０がされて、脈動吸収ホース１が完成するものである。
【０００７】
かかる構成の脈動吸収ホースによれば、インナーチューブと中間ニップルとを一体化して中間サイレンサーを製造する工程と、中間サイレンサーとホースとを一体化する工程の２回の組付け工程が必要となり製造工程が多いという問題があった。かかる問題を改善せんとして、樹脂製のインナーチューブの外周面に突起箇所を設けた構造として、加締めを一度に行うようにして、インナーチューブと中間ニップルの一体化工程を省力可能にした脈動吸収ホースについての提案がされている（特許文献５）。
【０００８】
かかる特許文献５に記載されている発明は、耐圧性を有するホースと、該ホースの内壁との間に管路に沿った隙間を形成するよう、ホースの内部に配設される環状のインナーチューブと、該インナーチューブの外周からホースの内壁に向けて突出した突起と、突起が位置する箇所において前記ホースをその外側から覆うようにホースに装着され、前記ホースの外周側から前記インナーチューブの側に向けて環状に陥没した加締め成形を受ける固定具とを有し、該固定具は、特定のホース肉厚の変化率になるように該突起をホース内壁に入り込ませるとともに、該突起を挟んだ前後の領域で前述した隙間を狭めてホースをその外周から把持している脈動吸収ホースに関するものであるが、かかる方法によるものは、樹脂製のインナーチューブが樹脂の経時永久歪みによって固定力が低下することと、また、柔軟な樹脂製のチューブには適用できないという問題があった。
【特許文献１】特開昭６０−２０１１９４号公報
【特許文献２】特開２００４−１１８８８号公報
【特許文献３】特開平１０−２６２８７号公報
【特許文献４】実開昭５８−７９９１号公報
【特許文献５】特開平１０−４７５８４号公報
【発明の開示】
【発明が解決しようとする課題】
【０００９】
本発明の目的は、上述したような問題点に鑑み、従来の同種のもので必要とされていた、中間ニップルとインナーチューブとを加締め固定し中間サイレンサーを組付けていた工程を不必要とすることのできる脈動吸収ホースを提供するとともに、中間絞り部分（加締め固定部分）における経時固定力の低下という問題もなく、長期間にわたって使用したとしても安定した品質・所期の効果とが得られ、また、柔軟な樹脂チューブ材料でも所期の効果を維持してインナーチューブとして使用できることになるという、新規な脈動吸収ホースを提供することにある。
【課題を解決するための手段】
【００１０】
上述した目的を達成する本発明の脈動吸収ホースは、以下の(1) の構成からなる。
（１）インナー樹脂チューブがホースの内部に挿入され、該ホース内部を圧送される流体の脈動を吸収する脈動吸収ホースであり、該ホースと前記インナー樹脂チューブとが、該ホースの長手方向の一部分において加締められて固定化され、かつ、該インナー樹脂チューブの加締め固定部分の内面またはチューブ断面内に金属管が配置されてなることを特徴とする脈動吸収ホース。
【００１１】
また、かかる本発明の脈動吸収ホースは、好ましくは、以下の(2) の具体的構成からなるものである。
（２）前記インナー樹脂チューブが前記加締め固定部分において、他部分よりも大径に形成されてなるものであることを特徴とする上記（１）記載の脈動吸収ホース。
【発明の効果】
【００１２】
本発明によれば、従来の同種のもので必要とされていた、中間ニップルとインナーチューブとを加締め固定して中間サイレンサーを組付けていた工程を不要とすることができるので、製造工程をよりシンプル化することができる。
【００１３】
従って、生産管理・品質管理がより高精度に可能になり、さらに、中間絞り部分（加締め固定部分）における経時固定力の低下という問題もなく、長期間にわたって使用したとしても、脈動吸収ホースとして、安定した品質と所期の効果とを得ることができるものである。
【００１４】
また、柔軟な樹脂チューブ材料でも、所期の脈動吸収効果を維持してインナーチューブとして使用できることになる。
【発明を実施するための最良の形態】
【００１５】
以下、更に詳しく本発明の脈動吸収ホースについて、図面等を用いて説明する。
【００１６】
図１は、本発明の脈動吸収ホースのホースとインナー樹脂チューブとの固定部分をモデル的に図で表した断面概略図である。
【００１７】
本発明の脈動吸収ホース１は、インナー樹脂チューブ３がホース（アウターホース）２の内部に挿入され、該ホース２内部を圧送される流体の脈動を吸収する脈動吸収ホース１であり、該ホース２と前記インナー樹脂チューブ３とが、該ホースの長手方向の一部分において、中間ソケット４を介して加締められることにより固定化１０されてなり、かつ、該インナー樹脂チューブ３の加締め固定部分の内面またはチューブ断面内に金属管５が配置されてなるものである。
【００１８】
本発明において、該金属管５とは、適宜の長さを有するパイプ状ないしは環状の金属管５であり、中間ソケット４を加締める力に対応して該金属管５も共に加締められて、それらの中間にあるホース２とインナー樹脂チューブ３とを該部分において固定化せしめるものである。
【００１９】
該金属管５は、一箇所の加締め固定化部分において１個だけが使用されていてもよいが、適宜の管長さに分割された複数個の金属管を使用するようにしても構わない。
【００２０】
ホース２とインナー樹脂チューブ３は、それぞれ従来から存在する脈動吸収ホースと、寸法的なことや材質的なこと等ではほとんど変わりなく使用することができる。例えば、ホース２の内径が８ｍｍ〜１２ｍｍ程度の脈動吸収ホースでは、外径が５ｍｍ〜９ｍｍなどのインナー樹脂チューブを使用するのが好ましい。すなわち、その差（ホース２の内径とインナー樹脂チューブ３の外径の差）は、直径で約３ｍｍ前後等の数ｍｍ程度であることが好ましい。
【００２１】
本発明において、インナー樹脂チューブ３の加締め固定部分の内面またはチューブ断面内に金属管５が配置されているとは、図２に示したような状態であることをいい、同図（ａ）は、インナー樹脂チューブ３の加締め固定部分の内面に金属管５が配置されている状態の例、同図（ｂ）は、インナー樹脂チューブ３の加締め固定部分のチューブ断面内に金属管５が配置されている状態を示したものである。
【００２２】
本発明の脈動吸収ホースにおいて、好ましくは、図１や図２に示したようにインナー樹脂チューブ３が、前記加締め固定部分において他部分よりも大径に形成されてなるものであることが好ましい。そのようにすることにより、確実に加締め固定化が達成できることとなる。
【００２３】
中間ソケット４は、鉄材やアルミニウム等の適宜な金属材料を用いて形成された筒状体であり、ホース２を外側から覆うように該ホース２に装着されている。
【００２４】
そして、この中間ソケット４は、ホース２の外側からインナー樹脂チューブ３の側に向けて環状に陥没されて加締め成形されており、その加締め箇所でホース２をその外側から押さえつけて把持し、中間に金属管５を介しつつ、ホース２をインナー樹脂チューブ３に接触させているものである。
【００２５】
このようにして、ホース２の内壁はインナー樹脂チューブ３の外壁に接触して、インナー樹脂チューブ３はホース２に対して固定されるものである。
【００２６】
中間ソケット４を加締め成形するに当たっては、まず、インナー樹脂チューブ３を、ホース２の内部に入れ込んで所定の位置に配設する。次に、かしめ箇所の範囲内の適宜箇所、例えば、ほぼ中央の箇所あるいは中央から左右に少しずれた箇所にインナー樹脂チューブ３が位置するようにして、中間ソケット４を装着する。
【００２７】
なお、ホースに対する中間ソケット４の配置位置が予め定まっている場合には、インナー樹脂チューブ３をホース２の内部にて移動させて上記のような位置に来るようにする。
【００２８】
続いて、ホース２の軸回りに分割された複数個の加締めダイス（図示せず）を、中間ソケット４にその外側からホース２の軸方向（矢印方向）に押し付ける。
【００２９】
このかしめダイスの押し付けにより、ダイス形状に倣って中間ソケット４が加締め成形され、中間ソケット４は、加締め箇所で上記したようにインナー樹脂チューブ３をホース２に対して固定する。
【００３０】
本発明によれば、加締め部分において金属管５を介在させて加締めていることにより、中間絞り部分（加締め固定部分）における固定力の経時的な低下という問題もなく、長期間にわたって使用したとしても安定した品質・所期の効果とが得られる。
【００３１】
また、柔軟な樹脂チューブ材料でも所期の効果を維持してインナーチューブとして使用できることになる。例えば、従来では使用することができ難かったゴム、熱可塑性樹脂なども使用することができるようになる。
【図面の簡単な説明】
【００３２】
【図１】図１は、本発明の脈動吸収ホースのホースとインナー樹脂チューブとの固定部分をモデル的に図で表した断面概略図である。
【図２】図２は、インナー樹脂チューブ３の加締め固定部分の内面またはチューブ断面内に金属管５が配置されている状態を説明した要部断面図であり、同図（ａ）は、インナー樹脂チューブ３の加締め固定部分の内面に金属管５が配置されている状態の例、同図（ｂ）は、インナー樹脂チューブ３の加締め固定部分のチューブ断面内に金属管５が配置されている状態を示したものである。
【図３】図３は、従来の脈動吸収ホースの１例として、中間絞り法による脈動吸収ホースの構成を説明する図であり、同図（ａ）は中間サイレンサーの形成を説明した概略モデル説明図、同図（ｂ）は図（ａ）に示した中間サイレンサーを加締め方式でホース内に固定して脈動吸収ホースを構成したときの構造を示す概略モデル断面図である。
【符号の説明】
【００３３】
１：脈動吸収ホース
２：ホース
３：インナー樹脂チューブ
４：中間ソケット
５：金属管
６：中間ニップル
７：インナーチューブ
８：加締め固定
９：中間サイレンサー
１０：加締め固定
【図１】
2006138409.tif 000003
【図２】
2006138409.tif 000004
【図３】
2006138409.tif 000005